(57)【特許請求の範囲】
【請求項１】
２対の絶縁導体が互いの対間で異なるピッチで撚り合わされて構成された２対の対撚線と、２本のプラスチック製光ファイバとが集合された電気光複合ケーブルにおいて、対撚線とプラスチック製光ファイバとが互いに隣り合わせに配置され、且つ対撚線の相互が互いに接触しないように、対撚線とプラスチック製光ファイバとの全体が撚り合わされてなることを特徴とする電気光複合ケーブル。
【発明の詳細な説明】
【０００１】
【発明の属する技術分野】
本発明は、家庭内ネットワ−ク用高速伝送用ケ−ブルに関する。
【０００２】
【従来の技術】
家庭内配線ケーブルとして、電力供給用電線、電話線、ＴＶ用同軸などのケーブルが使用されている。今後、デジタルコンテンツ技術の急速な普及、報送と通信の融合などに伴い、一般家庭においても多量のマルチメディア情報を利用できる環境が待ち望まれている。
【０００３】
ここで、既に配線されている上記した３種のケ−ブルを利用したＤＡＴＡ伝送も検討されているが、将来的にはオフィス等で高速ＤＡＴＡ伝送（１０Ｍｂｐｓ、１００Ｍｂｐｓ）で実績がある１０ＢＡＳＥ−Ｔ、１００ＢＡＳＥ−Ｔなどのイーサネット、ＤＡＴＡに加え、音声や映像などのリアルタイム情報の伝送能力を有するネットワ−クを実現できるＩＥＥＥ１３９４などのＤＡＴＡ伝送方式が有力である。
【０００４】
イ−サネットでは、１００Ｍｂｐｓまでの高速ＤＡＴＡ伝送用ケ−ブルとして、図８に示すようなカテゴリ−５（Ｃａｔ．５）ケ−ブルと呼ばれる４対ケ−ブルが使用されている。ここで、１は銅・アルミニュウームなどの導電体で構成された導体、２はその導体１の上に被覆されたポリオレフィン系可塑材等の絶縁物で構成された絶縁体、３は導体１と絶縁体２とで構成された絶縁導体、４は２本の絶縁導体３・３が互いに撚り合わされて構成された対撚線、５はポリ塩化ビニルなどで構成されたジャケットであり、それぞれの対撚線４、４、・・は互いに撚りピッチが異なるように構成されている。このケーブルは、ＩＳＯ／ＩＥＣおよびＥＩＡ／ＴＩＡで特性インピ−ダンス、近端漏話、減衰量などの規格値が設定されておりこれに準拠することで性能を保証している。
【０００５】
ＩＥＥＥ１３９４は、前記したようにＡＶ機器、パソコンともに使えるマルチメディアインタ−フェ−スを目指したもので、ＩＥＥＥ（米国電気電子技術者協会）でＩＥＥＥ１３９４−１９９５として標準化された規格である。ケーブル構造および性能についても規定があり、２本のシ−ルド付き対撚線と２芯の電源線とを集合撚りしたものをケ−ブルの標準としており、その伝送速度および伝送距離は、それぞれ４００Ｍｂｐｓまでで４．５ｍ以下と定められている。
【０００６】
このＩＥＥＥ１３９４−１９９５を補填する目的で、更なる高速化と伝送距離延長について検討がなされており、Ｐ１３９４．ｂとしての規格化が進められている。Ｐ１３９４．ｂをサポ−トする伝送媒体として有力なのが図９に示すような２芯のプラスチック製光ファイバ−（ＰＯＦ）である。図において、６は屈折率の高いコア層とその回りに屈折率の低い層が被覆されたクラッド層とで構成されたプラスチック製光ファイバ、７は２本のプラスチック製光ファイバ６・６を互いに間隔を置いてメガネ状に被覆・保持する被覆層である。将来、家庭内ネットワ−クの主力となる２つの方式に対応するには先行配線として各伝送媒体をそれぞれ布設しておく必要がある。
【０００７】
【発明が解決しようとする課題】
現状、ＩＥＥＥ１３９４対応機器は、開発中で普及段階には至っていない。家庭内ネットワ−クのバックボ−ンとして必要となるのは当分先と考えられる。これに対しプリンタ等を共有する目的で家庭内ＬＡＮとして家庭内にイ−サネットは導入され始めている。
また、近い将来に対応し、将来の高速化にまで対応し、ＩＥＥＥ１３９４対応のアプリケ−ションが普及した際に配線替えの必要がない配線が求められている。
【０００８】
１０ＢＡＳＥ−Ｔ、１００ＢＡＳＥ−Ｔではカテゴリ−５  ＵＴＰケ−ブルを構成する４本の対撚線の内、２対のみを信号の発信、受信に用いており、２対は使用されていない。また、ＩＥＥＥ１３９４をＰＯＦで伝送するには、２芯用いる。
【０００９】
【課題を解決するための手段】
本発明は係る点に鑑みなされたもので、図１に示すように、２対の絶縁導体３・３が互いの対間で異なるピッチで撚り合わされて構成された２対の対撚線４・４と、２本のプラスチック製光ファイバ６・６とが集合された電気光複合ケーブルにおいて、、対撚線４とプラスチック製光ファイバ６とが互いに隣り合わせとなるように配置され、且つ対撚線４とプラスチック製光ファイバ６との全体が互いの対撚線４・４が接触しないように撚り合わされてなることを特徴とする電気光複合ケーブルである。図１において、８はプラスチック製光ファイバ６の上に被覆された被覆層であり、これによりプラスチック製光ファイバケーブル９が構成されている。また５は図９と同様にシースであり、１０は電気光複合ケーブルである。
【００１０】
【発明の実施形態】
従来一般に、１０ＢＡＳＥ−Ｔ、１００ＢＡＳＥ−Ｔの配線システムを構築するために、カテゴリ−５規格の４対ケ−ブルにＲＪ４５のモジュラ−プラグ／ジャックを取り付ける場合、図２に示すように、各対撚線４・４・・をモジュラープラグあるいはジャック１２の端子番号１−２、３−６、４−５、７−８となるように取り付けられている。
【００１１】
従って、本発明のケーブルをカテゴリ５規格で８極用モジュラ−プラグあるいはジャックに取りつける場合は、図３及び図５に示すように、モジュラープラグあるいはジャック１１のＮｏ．（１，２）ピンに１対  、Ｎｏ．（３，６）ピンに１対をそれぞれ割り当てて取り付ける。この時、ＰＯＦの２芯は取り付けの妨げにならないよう削除するなどの処理を施す。
【００１２】
また、本発明のケーブルをＩＥＥＥ１３９４規格で使用する時は、図４に示すように、２芯のプラスチック製光ファイバケーブル９・９を接続するコネクタ（ＰＮコネクタなど）１２に接続し、２芯の対撚線４・４は削除する。
【００１３】
このように家庭内ネットワ−クが将来イ−サネットからＩＥＥＥ１３９４へ移行あるいは共存して用いられたときにおいても、本ケ−ブル１０を配線しておけば端末処理を行うことによりいかようにも対応できる。
【００１４】
また、２対の対撚線４・４はできるだけ対撚線４・４間に起きる漏話を小さくする必要がある。このため、プラスチック製光ファイバケーブル９の２芯と対撚線４の２本を撚合わせる際に、プラスチック製光ファイバケーブル９の２芯が図１に示すように接触し対撚線同志の接触を妨げるように集合撚することで対撚線間の漏話を低減する。
【００１５】
【実施例】
図６に示すように、線状の導体１（直径０．５３ｍｍ）にポリオレフィン系可塑材の絶縁体２を被覆して構成された絶縁導体３（直径０．９６ｍｍ）の２本を互いに撚合わせて対撚線４を構成する。２対の対撚線４・４は互いに異なる撚ピッチで撚合わされている。
【００１６】
この対撚線４・４の２本とファイバ−径１．０ｍｍコ−ド径２．２ｍｍのプラスチック製光ファイバ−ケーブル９・９の２芯を集合撚した。
この時、２本のプラスチック製光ファイバケーブル９・９は接触し、２対の対撚線４・４は互いに接触しないように構成される。集合撚した後、より崩れ防止のため、ポリエステル製のテ−プ１３で押え巻きされている。
また、ジャケット５としてポリ塩化ビニル材が用いられている。
【００１７】
このケ−ブルにおける対撚線間の近端漏話を測定した結果を図７に示す。図７から判る様に、本発明の電気光複合ケーブルはＣａｔ．５規格に対し２０ｄＢ以上のマ−ジンを持つことを確認した。
【００１８】
【発明の効果】
本ケ−ブルを配線しておけば必要に応じてケ−ブル端末にＩＥＥＥ１３９４用コネクタ−またはイ−サネット用コネクタ−（モジュラ−プラグ／ジャック）を必要に応じて付け替えることができる。
よって、当面は１０ＢＡＳＥ−Ｔなどのイ−サネットの伝送媒体として２本の対撚線にコネクタ−を接続して使用し、将来ＩＥＥＥ１３９４によるＤＡＴＡおよび画像伝送の必要が出てきた時には、対撚線からコネクタ−を取り外し、プラスチック製光ファイバケーブル用のコネクタ−をプラスチック製光ファイバケーブルの２芯にそれぞれ取り付けることで、ＩＥＥＥ１３９４ネットワ−クに対応した伝送媒体として使用できる。
また、２本の対撚線は、プラスチック製光ファイバケーブルによって隔離されているので、対撚線間の漏話を著しく低減できる。
【図面の簡単な説明】
【図１】本発明のケーブル断面を示す断面図。
【図２】従来提案されている４対の対撚線をＲＪ４５モジュラープラグに取りつけるさいの配線図。
【図３】本発明の２本の対撚線をＲＪ４５モジュラープラグに取りつける際の配線図。
【図４】本発明の電気光複合ケーブル内のプラスチック製光ファイバをプラスチック製ファイバ用コネクタに取り付ける際の概念図。
【図５】本発明の電気光複合ケーブル内の対撚線をＲＪ４５モジュラープラグに取りつける際の概念図。
【図６】本発明の１実施例を示す断面図。
【図７】本発明の１実施例における周波数に対する近端漏話特性図。
【図８】従来の４対撚線ケーブルの１例を示す断面図。
【図９】従来のプラスチック製光ファイバの１例を示す断面図。
【符号の説明】
１    ・・  導体
２    ・・  絶縁体
３    ・・  絶縁導体
４    ・・  対撚線
５    ・・  ジャケット
６    ・・  プラスチック製光ファイバ
７    ・・  被覆層
８    ・・  被覆層
９    ・・  プラスチック製光ファイバケーブル
１０  ・・  電気光複合ケーブル
１１  ・・  モジュラープラグあるいはジャック
１２  ・・  コネクタ
１３  ・・  テープ
【図１】
0003581804.tif 000002
【図２】
0003581804.tif 000003
【図３】
0003581804.tif 000004
【図４】
0003581804.tif 000005
【図５】
0003581804.tif 000006
【図６】
0003581804.tif 000007
【図７】
0003581804.tif 000008
【図８】
0003581804.tif 000009
【図９】
0003581804.tif 000010